(57)【特許請求の範囲】
【請求項１】
固定電話の回線に接続される親機、および前記親機との間で無線通信可能な複数の子機を備えた通信システムであって、
前記親機は、
留守番電話に関連する音声データを記憶するための記憶部と、
前記留守番電話に関する操作を受付けるための操作部と、
前記子機と通信するための通信部と、
前記子機を着脱自在に装着するための装着部と、
前記子機から受信する電波の強度に基づき、無線通信可能エリア内に前記子機が存在するか否かを判定する判定部を含み、
前記通信部は、前記操作部により前記操作が受付けられたとき、予め指定された特定の子機が無線通信可能である場合、前記記憶部の音声データを前記特定の子機へ送信し、当該特定の子機が無線通信可能でない場合、前記音声データを前記装着部に装着されている子機および前記判定部により存在すると判定された子機のいずれかに送信し、
前記子機は、
音声データを再生する再生部と、
前記再生部により再生された音声を出力する音声出力部と、を含み、
前記親機から送信された音声データを前記再生部により再生する、通信システム。
【請求項２】
前記留守番電話に関連する音声データには、発呼側から前記回線を介して受信した受信音声データと、前記留守番電話に関連する案内のための案内音声データとを含む、請求項１に記載の通信システム。
【請求項３】
前記親機は、在宅モードおよび留守モードを含む動作モードを有し、
前記通信部は、
前記動作モードが前記在宅モードであるときに前記操作部により前記留守番電話に関する操作が受付けられた場合は、前記記憶部の前記留守番電話に関連する音声データのうち前記案内音声データを前記子機へ送信し、
前記動作モードが前記留守モードであるときに前記操作部により前記留守番電話に関する操作が受付けられた場合は、前記記憶部の前記留守番電話に関連する音声データのうち前記受信音声データを前記子機へ送信する、請求項２に記載の通信システム。
【請求項４】
前記親機は、
前記動作モードが前記在宅モードであるときに前記操作部により前記留守番電話に関する操作が受付けられた場合は、前記動作モードを当該在宅モードから留守モードに切替え、
前記動作モードが前記留守モードであるときに前記操作部により前記留守番電話に関する操作が受付けられた場合は、前記動作モードを当該留守モードから在宅モードに切替える、請求項３に記載の通信システム。
【請求項５】
前記通信部は、さらに、
前記音声データを送信するとき、当該音声データの再生を指示するための再生指示を前記子機へ送信する、請求項１から４のいずれか１項に記載の通信システム。
【請求項６】
前記親機は、
前記再生指示が前記子機に送信されると、その後、前記操作部による操作の受付を無効にする、請求項５に記載の通信システム。
【請求項７】
前記子機は、さらに、
当該子機が前記装着部に装着されているか否かを検出するための検出部を、含み、
前記検出部により装着されていることが検出されたとき、前記無線通信のための当該子機の識別情報を前記親機に通知する、請求項１から６のいずれか１項に記載の通信システム。
【発明の詳細な説明】
【技術分野】
【０００１】
本発明は通信システムに関し、特に、親機と子機がコードレス通信を行う通信システムに関する。
【背景技術】
【０００２】
親機と子機を備える通信システムとして、特許文献１（特開２００４−２２８７３２号公報）の電話端末システムが提供されている。特許文献１の電話システムでは、留守録メッセージを安全に記憶し再生するために、メッセージはパスワードとともに記憶されて、被呼者によりパスワードを入力されると、留守録メッセージが再生される。
【０００３】
また、特許文献２（特開平１０−３０４０５１号公報）は、親機の留守録音機能により録音された音声メッセージを子機で再生出力させる構成を開示する。
【先行技術文献】
【特許文献】
【０００４】
【特許文献１】特開２００４−２２８７３２号公報
【特許文献２】特開平１０−３０４０５１号公報
【発明の概要】
【発明が解決しようとする課題】
【０００５】
一般的なコードレス電話機においては、親機へ留守録機能のための留守キーおよびスピーカが配置されており、当該キー操作により留守録機能を制御し、その操作に対応する音声が当該スピーカより出力されることが通常である。
【０００６】
その一方で、コストダウンのために、親機からハンドセットを削除する、すなわち音声出力のためのスピーカを削除したいとの要望があった。しかし、上記に述べた特許文献１と２のいずれも親機にハンドセットまたは音声出力部を備える構成であるから、当該要望に応えることができなかった。
【０００７】
それゆえに本発明の目的は、留守番電話機能を有した親機において音声出力部を削除することが可能な通信システムを提供することである。
【課題を解決するための手段】
【０００８】
この発明のある局面に従う通信システムは、固定電話の回線に接続される親機、および親機との間で無線通信可能な少なくとも１台の子機を備えた通信システムである。
【０００９】
親機は、留守番電話に関連する音声データを記憶するための記憶部と、留守番電話に関する操作を受付けるための操作部と、子機と通信するための通信部と、を含み、通信部は、操作部により操作が受付けられたとき、記憶部の音声データを子機へ送信する。
【００１０】
子機は、音声データを再生する再生部と、再生部により再生された音声を出力する音声出力部と、を含み、親機から送信された音声データを再生部により再生する。
【００１１】
好ましくは、留守番電話に関連する音声データには、発呼側から回線を介して受信した受信音声データと、留守番電話に関連する案内のための案内音声データとを含む。
【００１２】
好ましくは、通信部は、さらに、音声データを送信するとき、当該音声データの再生を指示するための再生指示を子機へ送信する。
【００１３】
好ましくは、親機は、再生指示が子機に送信されると、その後、操作部による操作の受付を無効にする。
【００１４】
好ましくは、親機は、子機を着脱自在に装着するための装着部を、さらに含む。
好ましくは、通信部は、装着部に装着された子機に、音声データを送信する。
【００１５】
好ましくは、子機は、さらに、当該子機が装着部に装着されているか否かを検出するための検出部を、含み、検出部により装着されていることが検出されたとき、無線通信のための当該子機の識別情報を親機に通知する。
【００１６】
好ましくは、親機は、さらに、子機から受信する電波の強度に基づき、無線通信可能エリア内に子機が存在するか否かを判定する判定部を含み、通信部は、音声データを、判定部により存在すると判定された子機へ送信する。
【００１７】
上記に述べたように、親機は、留守番電話に関する操作を受付けると、記憶部の留守番電話に関連した音声データを子機へ送信し、子機は、親機から送信された音声データを再生部により再生する。
【発明の効果】
【００１８】
本発明によれば、留守番電話機能を有した親機において音声再生および音声出力部を削除することが可能となる。
【図面の簡単な説明】
【００１９】
【図１】本実施の形態１に係る親機の外観を示す図である。
【図２】本実施の形態１に係る子機２０の概略図である。
【図３】本実施の形態１に係る子機２０が親機４０のクレードル部４４に装着された状態の外観を示す図である。
【図４】本実施の形態１に係る子機２０と親機４０との構成を示す図である。
【図５】図４の親機４０の記憶部３７の記憶内容例を示す図である。
【図６】本実施の形態１に係る子機２０の機能構成を示す図である。
【図７】本実施の形態１に係る親機４０の機能構成を示す図である。
【図８】本実施の形態１に係る留守番電話のための親機と子機の通信処理の一例を示すフローチャートである。
【図９】本実施の形態１に係る留守キー３６の操作例を示す図である。
【図１０】本発明の実施の形態３に係る無線通信のための特定の子機を検出するための処理の一例を示すフローチャートである。
【発明を実施するための形態】
【００２０】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００２１】
[実施の形態１]
本実施の形態１に係る通信システムは、固定電話の回線に接続される親機、および当該親機との間で無線通信可能な少なくとも１台の子機を備える。
【００２２】
図１は、本実施の形態１に係る親機の外観を示す図である。図１を参照して、親機４０は、子機または外部との通信機能、留守番電話機能および子機への充電機能のための各回路を内蔵する筐体４２を備える。筐体４２の正面には、図示しない子機が着脱自在に装着されて、装着された子機を固定するためのクレードル部４４が設けられる。クレードル部４４は、子機を親機４０に着脱自在に装着するための「装着部」の一実施例である。
【００２３】
クレードル部４４は、ハードウェアピン４５および装着された子機を充電するための電極端子４６を有する。ハードウェアピン４５は、子機がクレードル部４４に装着されたとき、子機２０の筐体に接触する位置に配置される。子機２０のピン検出部１４（後述する）は、ハードウェアピン４５が子機の筐体に接触したか否かを検知する。なお、ハードウェアピン４５に代替した接触検知方法には、圧力センサを用いた方法、またはタッチスイッチを用いた方法などを適用することができる。また、親機４０の筐体４２には、留守キー３６が設けられる。留守キー３６は、親機４０の留守番電話に関するユーザ操作を受付けるための「操作部」の一実施例である。
【００２４】
図２は、本実施の形態１に係る子機２０の概略図である。図２（Ａ）は、子機２０の正面図である。図２（Ｂ）、子機２０を上記正面とは反対側の面から見た図、つまり背面図である。図３は、本実施の形態１に係る子機２０が親機４０のクレードル部４４に装着された状態の外観を示す図である。図２（Ａ）と図２（Ｂ）を参照して、子機２０の正面には音声出力のためのイヤースピーカ８Ａ、情報表示のための液晶ディスプレイなどの表示部１０、キー・ボタンを含みユーザの操作内容を受付けるための操作部１１、および音声を入力するためのマイク９が配される。子機２０の背面には音声出力のためのスピーカ８Ｂが配される。子機２０内部の、長手方向（軸方向）の一方端よりには、充電池に相当する内蔵バッテリ部７が配されている。
【００２５】
図３を参照して、子機２０がクレードル部４４に装着されるとき、子機２０の正面に配された、イヤースピーカ８Ａ，スピーカ８Ｂ、表示部１０、操作部１１、およびマイク９を介して、ユーザは、ハンズフリーで子機２０を介して相手側と通話することができる。
【００２６】
図４は、本実施の形態１に係る子機２０と親機４０との構成を示す図である。図４を参照して、子機２０は、アンテナ２を接続してＤＥＣＴ（Digital Enhanced Cordless Telecommunications）方式に従う無線通信を行うためのＤＥＣＴ無線部３、ＣＰＵ（Central  Processing  Unit）を含むマイクロコンピュータを有した制御部１、ＤＥＣＴ無線部３を介して受信した音声データおよびマイク９からの音声信号を処理する信号処理部４、および記憶部５を備える。記憶部５は、子機２０の識別子ＩＤ、各種のデータおよびプログラムなどを記憶する。子機２０は、さらに、親機４０との間で通信路２１を介して信号・データの入出力を行なうための信号入出力部６、充電可能な内蔵バッテリ部７、イヤースピーカ８Ａおよびスピーカ８Ｂを含むスピーカ部８、マイク９、表示部１０、操作部１１、時間を計時するタイマ１２、子機２０の動作状態を報知するために点灯制御されるＬＥＤ（Light  Emitting  Diode）部１３、および上述したピン検出部１４を含む。
【００２７】
信号処理部４は、音声データを再生するための再生部４Ａを含む。再生部４Ａは、ＤＥＣＴ無線部３により受信した音声データまたは制御部１から与えられる音声データをデコード処理し、デコード処理後の音声信号をスピーカ部８に出力する。これにより、スピーカ部８から音声が出力される。
【００２８】
信号入出力部６は、電源Ｉ／Ｆ（Interfaceの略）６Ａと通信Ｉ／Ｆ（Interfaceの略）６Ｂを含む。信号入出力部６は、子機２０が装着されたとき、親機４０の電極端子４６と接続される図示しない信号端子を含む。子機２０がクレードル部４４に装着されると、信号入出力部６を含んで構成される通信路２１が確立する。
【００２９】
子機２０は、親機４０から、通信路２１を経由して電力信号およびデータを入力する。電源Ｉ／Ｆ６Ａは、通信路２１を介して与えられる電力信号を入力し、内蔵バッテリ部７に供給する。内蔵バッテリ部７は、内蔵する電池を、供給される電力信号に基づき充電する。通信Ｉ／Ｆ６Ｂは、通信路２１を経由して親機４０から与えられるデータを入力し、制御部１に与える。親機４０から通信路２１を経由して子機２０に出力されるデータには、音声データが含まれる。制御部１は、通信路２１を介して与えられた音声データを入力し、信号処理部４（より特定的には、再生部４Ａ）に出力する。
【００３０】
このように、子機２０の再生部４Ａは、ＤＥＣＴ無線部３を介して受信した音声データまたは通信路２１を経由して受信した音声データを再生することができる。ここでは、説明を簡単にするために、再生部４Ａが再生する音声データは、ＤＥＣＴ無線部３を介して受信した音声データであるとする。
【００３１】
親機４０は、ＣＰＵ３１および子機２０との間でデータおよび電力信号を入出力するための信号入出力部３２、外部の商用のＡＣ（Alternating  Current）電源３５から電力信号を入力するためのＡＣ電源Ｉ／Ｆ３３、および固定の電話回線５０を接続して電話回線５０との間で音声信号を含む各種信号を送受信するための電話回路３４を備える。
【００３２】
また、親機４０は、留守キー３６、記憶部３７、留守キー３６に関連して設けられたＬＥＤ３８、およびアンテナ３９Ａを接続したＤＥＣＴ無線部３９を備える。記憶部３７は、親機４０の識別子ＩＤ、プログラムおよびデータ（音声データを含む）を記憶する。ＣＰＵ３１は、留守キー３６が操作されると、点灯／消灯するようにＬＥＤ３８を制御する。ＬＥＤ３８の点灯/消灯状態により、後述するように親機４０の動作モードを報知することができる。
【００３３】
信号入出力部３２は、電力信号を子機２０に供給するための充電Ｉ／Ｆ３２Ａおよび音声データを子機２０へ供給するための通信Ｉ／Ｆ３２Ｂを含む。親機４０は、クレードル部４４に子機２０が載置されたとき、子機２０の信号入出力部６と、親機４０の信号入出力部３２は通信路２１を介して通信可能に接続される。このような接続状態において、親機４０は子機２０に対し、ＡＣ電源３５から供給される電力信号を送信する。これにより、子機２０がクレードル部４４に装着されている期間は、内蔵バッテリ部７はＡＣ電源３５からの電力信号により充電される。また、ＣＰＵ３１により記憶部３７から読出された音声データは、ＤＥＣＴ無線部３９を介して子機２０へ送信される。
【００３４】
本実施の形態１では、親機４０が取り得る動作モードには、在宅モードと留守モードが含まれる。在宅モードおよび留守モードの切替えは、留守キー３６のユーザ操作により実施される。現在の動作モードが「留守モード」のとき、留守キー３６が操作されると、現在の動作モードは「留守モード」から「在宅モード」に切替えられる。逆に、現在の動作モードが「在宅モード」のとき、留守キー３６が操作されると、現在の動作モードは「在宅モード」から「留守モード」に切替えられる。ＣＰＵ３１は、親機４０の現在の動作モードを示すデータを記憶部３７に格納する。
【００３５】
図５は、図４の親機４０の記憶部３７の記憶内容例を示す図である。図５を参照して記憶部３７は、留守番電話に関連する音声データと、後述する特定の子機２０の識別情報であるＩＤ（identifier）データ３７１とが格納される。留守番電話に関連する音声データは、留守番電話に関連した案内のための案内音声データ３７２と留守録データ３７３を含む。
【００３６】
留守録データ３７３は、親機４０の動作モードが留守モードであるときに、発呼側から電話回線５０および電話回路３４を介して受信した音声データであって、ＣＰＵ３１により記憶部３７に録音（記憶）される音声データを示す。留守録データ３７３は、好ましくは、着呼時間データと関連付けて記憶される。なお、留守モードにおける着呼処理および受話音声を留守録データ３７３として記憶する処理は、よく知られた処理であるから、ここでは説明を繰返さない。
【００３７】
また、案内音声データ３７２は、第１ガイダンスデータ、第２ガイダンスデータおよび第３ガイダンスデータを含む。第１ガイダンスデータは、現在の動作モードを「在宅モード」から「留守モード」に切替えるときに出力されるメッセージ、たとえば“ただいま電話に出ることができません…”を表す。第２ガイダンスデータは、留守録データ３７３の音声とともに出力されるメッセージ、たとえば“１件です。…再生が終わりました”を表す。第３ガイダンスデータは、現在の動作モードを「留守モード」から「在宅モード」に切替えるときに出力されるメッセージ、たとえば“留守設定を解除しました、メッセージは０件です”を表す。なお、ガイダンスデータによるメッセージの種類はこれに限定されない。
【００３８】
このように、親機４０および子機２０のうち、親機４０のみが電話回線５０から受信した音声データを記憶部（記憶部３７）に録音する機能（いわゆる、留守録機能）を有し、子機２０は、留守録機能を備えない。また、親機４０および子機２０のうち、子機２０のみが音声データの再生部４Ａおよび音声入出力部（スピーカ部８、マイク９）を有し、親機４０は再生部および音声入出力部を備えない。
【００３９】
図６は、本実施の形態１に係る子機２０の機能構成を示す図である。また、図７は、本実施の形態１に係る親機４０の機能構成を示す図である。図６を参照して子機２０の制御部１は、ピン検出部１４からの出力に基づき、当該子機２０が親機４０のクレードル部４４に装着されているか否かを検出するための検出部１Ａを有する。また、図７を参照して親機４０のＣＰＵ３１は、親機４０の無線通信可能エリア内に子機２０が存在するか否かを判定するための判定部３１Ａを含む。判定部３１Ａは、ＤＥＣＴ無線部３９を介して子機２０から受信する電波の強度に基づき、親機４０の無線通信可能エリア内に子機２０が存在するか否かを判定する。図６の検出部１Ａのプログラムは、記憶部５に予め格納される。制御部１のＣＰＵが記憶部５からプログラムを読出し、実行することにより、検出部１Ａの機能が実現される。また、図７の判定部３１Ａのプログラムは、記憶部３７に予め格納される。ＣＰＵ３１が記憶部３７からプログラムを読出し、実行することにより、判定部３１Ａの機能が実現される。なお、検出部１Ａおよび判定部３１Ａのそれぞれは、回路から構成されてもよく、または回路とプログラムの組合せにより構成されてもよい。
【００４０】
本実施の形態１では、親機４０は、最大４台の子機２０とＤＥＣＴ無線通信が可能である。つまり、親機４０と、最大４台の子機２０とのペアリング処理が予め実施されることにより、４台の子機２０の識別情報が、親機４０の記憶部３７に格納されるものとする。
【００４１】
本実施の形態１では、親機４０は、最大４台の子機２０とＤＥＣＴ無線通信が可能である。親機４０は留守キー３６によりユーザ操作が受付けられたとき、最大４台の子機２０のうち特定の１台の子機のみに音声データを無線送信する。
【００４２】
特定の１台の子機は、親機４０の「ＤＥＣＴ通信可能エリア内に存在する子機２０」を示す。より具体的には、ユーザにより指定された子機２０である。特定の子機２０の識別子ＩＤは、親機４０の記憶部３７にＩＤデータ３７１として予め格納される。
【００４３】
図８は、本実施の形態１に係る留守番電話のための親機と子機の通信処理の一例を示すフローチャートである。図８は、親機４０は、上記に述べた特定の子機２０に留守番電話に関連する音声データを送信し再生させる処理を示す。図８のフローチャートは、親機４０と子機２０の処理を示し、子機２０側の処理は、制御部１のＣＰＵが実行するプログラムとして子機２０の記憶部５に予め格納される。また、親機４０側の処理は、ＣＰＵ３１が実行するプログラムとして記憶部３７に予めプログラムとして格納される。
【００４４】
図８を参照して、留守番電話に関連する音声データの送信と再生を説明する。親機４０の記憶部３７には留守録データ３７３が記憶されていると想定する。まず、親機４０側においては、ＣＰＵ３１は、留守キー３６の出力から、留守キー３６がユーザにより操作されて、その操作内容が受付けられたか否かを判定する（ステップＳ１６）。操作内容が受付けされていないと判定されると（ステップＳ１６でＮＯ）、ステップＳ１６の処理が繰返される。
【００４５】
操作内容が受付けされたと判定されると（ステップＳ１６でＹＥＳ）、ＣＰＵ３１は親機４０の現在の動作モードを判定する（ステップＳ１８）。
【００４６】
ＣＰＵ３１は、現在の動作モードを在宅モードと判定すると（ステップＳ２０で“在宅”、第１ガイダンスデータを記憶部３７から読出す（ステップＳ２２）。一方、現在の動作モードを“留守”モードと判定すると（ステップＳ２０で“留守”）、ＣＰＵ３１は、記憶部３７を検索し、留守録データ３７３が格納されているか否かを判定する（ステップＳ２４）。留守録データ３７３が格納されていると判定すると（ステップＳ２４でＹＥＳ）、ＣＰＵ３１は、記憶部３７から留守録データ３７３を読出すとともに、記憶部３７から第２ガイダンスデータを読出す（ステップＳ２６、Ｓ２８）。
【００４７】
一方、記憶部３７には留守録データ３７３は格納されていないと判定されると（ステップＳ２４でＮＯ）、ＣＰＵ３１は記憶部３７から第３ガイダンスデータを読出す（ステップＳ３０）。
【００４８】
次に、ＣＰＵ３１は、記憶部３７にＩＤデータ３７１が格納されているか否かに基づき、特定の子機２０の有無を判定する（ステップＳ３１）。
【００４９】
ＣＰＵ３１は、特定の子機２０がＩＤデータ３７１を記憶部３７から読出すと、その後、ステップＳ２２〜Ｓ３０で読出された音声データ（留守録データ３７３、またはガイダンスデータ）と再生モード指令を、ＤＥＣＴ無線部３９を介して、ＩＤデータ３７１が示す子機２０へ送信する（ステップＳ３２）。
【００５０】
その後、ＣＰＵ３１は、留守キー３６のユーザ操作を無効に設定する（ステップＳ３４）。留守キー３６の操作無効の設定は、たとえば、ユーザが留守キー３６をＯＮ/ＯＦＦ操作できたとしても、ＣＰＵ３１は留守キー３６からの出力（操作内容）を無視（破棄）することにより実現される。また、このとき、ＣＰＵ３１は、留守キー３６が操作されたとしても、ＬＥＤ３８の点灯状態を変更せずに、消灯（または点灯）したままに維持し、ユーザに対して操作は無効である旨を報知するとしてもよい。
【００５１】
このように、親機４０から特定の子機２０へ再生モード指令を送信した後は、特定の子機２０から音声データが再生モード指令に従い再生されて出力される。子機２０から音声が出力されると、ユーザは実際に音声を出力している子機２０のみを操作しようとする。したがって、再生モード指令を送信後は、親機４０の留守キー３６の操作を無効として、留守番電話に関する操作は子機２０側でのみ受付け可能なように設定することで、ユーザの操作傾向に対応することができる。
【００５２】
その後、ＣＰＵ３１は、特定の子機２０から、留守キー３６の操作無効状態からの復帰を指示するための復帰指令を受信する（ステップＳ３６）。復帰指令を受信すると、ＣＰＵ３１は、留守キー３６のキー操作を“無効”→“有効”に復帰させる（ステップＳ３８）。これにより、ＣＰＵ３１は、留守キー３６を介したユーザ操作の受付を再開する。その後、ステップＳ１６に戻る。
【００５３】
次に、子機２０側の処理について説明する。制御部１は、ＤＥＣＴ無線部３を介して親機４０から音声データと再生モード指令を受信するか否かを判定する（ステップＳ９）。受信しないと判定されると（ステップＳ９でＮＯ）、ステップＳ９の処理が繰返される。受信したと判定されると（ステップＳ９でＹＥＳ）、制御部１は、受信した再生モード指令に従い、再生部４Ａに、当該指令とともに受信した音声データを再生させ、再生後の音声信号をスピーカ部８へ出力させる。スピーカ部８は、再生部４Ａからの音声信号に従う音声を出力する（ステップＳ１１）。
【００５４】
その後、制御部１は、操作部１１を介して上述の復帰指令のためのユーザ操作内容を受付ける（ステップＳ１３）。そして、制御部１は、受付けた操作内容に基づき、復帰指令を、ＤＥＣＴ無線部３を介して親機４０へ送信する（ステップＳ１５）。その後、ステップＳ９に戻る。
【００５５】
図８の処理によれば、親機４０は、特定の子機２０（この場合は、ユーザが指定した子機２０）のみが留守キー３６のユーザ操作に連動するように制御する。したがって、親機４０には最大４台の子機２０を接続可能であるとしても、ユーザが指定した（ユーザが操作する可能性が高い）子機２０からのみ、音声を出力させる。そして、操作される可能性の低い他の子機２０から、すなわちユーザが予期しない子機２０から突然音声が出力される事態を回避することができる。
【００５６】
図９は、本実施の形態１に係る留守キー３６の操作例を示す図である。ここでは、ＬＥＤ３８と留守キー３６とは一体的に構成されている。これにより、ＬＥＤ３８の点灯/消灯に応じて、留守キー３６が点灯/消灯するように提示することができる。図９では留守キー３６を示す矩形枠が細線で示される場合は、留守キー３６の消灯を表し、太線で示される場合は、留守キー３６の点灯を表す。
【００５７】
まず、図９（Ａ）を参照して、親機４０が「在宅モード」であるときは、ＣＰＵ３１はＬＥＤ３８を消灯する。「在宅モード」であるとき、ユーザが留守キー３６を操作すると、ＣＰＵ３１は、操作内容に基づき動作モードを「在宅モード」から「留守モード」に切替えるとともに、ＬＥＤ３８を点灯させる。これにより留守キー３６を点灯させることができて、ユーザに対して、親機４０は「留守モード」に変更されたことが報知される。図９（Ａ）の処理は、図８のステップＳ２２において実施される、したがって、図９（Ａ）の点灯制御とともに、上述した第１ガイダンスデータの音声が、特定の子機２０のスピーカ部８から出力される。
【００５８】
また、図９（Ｂ）を参照して、親機４０が「留守モード」であって未再生の留守録データ３７３が記憶されていない場合を説明する。この場合は、ＣＰＵ３１は、ＬＥＤ３８を点灯させて、現在の動作モードは「留守モード」であって未再生の留守録データ３７３が記憶されていないことを報知する。このとき、ユーザが留守キー３６を操作すると、ＣＰＵ３１は、操作内容に基づき動作モードを「留守モード」から「在宅モード」に切替えるとともに、ＬＥＤ３８を消灯させる。これにより、ユーザに対して、親機４０の留守モードは解除されて「在宅モード」に変更されたことが報知される。図９（Ｂ）の処理は、図８のステップＳ３０において実施される。したがって、図９（Ｂ）の消灯制御とともに、上述した第３ガイダンスデータの音声が、特定の子機２０のスピーカ部８から出力される。
【００５９】
また、図９（Ｃ）を参照して、親機４０が「留守モード」であって未再生の留守録データ３７３が記憶されている場合を説明する。この場合は、ＣＰＵ３１は、ＬＥＤ３８を点滅（ブリンク）させて、現在の動作モードは「留守モード」であって未再生の留守録データ３７３が記憶されていることを報知する。このとき、ユーザが留守キー３６を操作すると、ＣＰＵ３１は、操作内容に基づき動作モードを「留守モード」から「在宅モード」に切替えるとともに、ＬＥＤ３８を消灯させる。これにより、ユーザに対して、親機４０の留守モードは解除されて「在宅モード」に変更されたことが報知される。図９（Ｃ）の処理は、図８のステップＳ２８において実施される。したがって、図９（Ｃ）の消灯制御とともに、上述した第２ガイダンスデータの音声が、特定の子機２０のスピーカ部８から出力される。
【００６０】
図９（Ｃ）を参照して、子機２０の動作モードが「自動応答ＯＦＦ」に設定されていた場合には、制御部１は、再生後の音声信号をスピーカ８Ｂに出力するように、再生部４Ａを制御する。したがって、子機２０の動作モードが「自動応答ＯＦＦ」に設定されている場合には、ユーザは、子機２０を持たずとも、スピーカ８Ｂから出力される留守録の音声メッセージを聴くことができる。また、子機２０の動作モードが「自動応答ＯＮ」に設定されていた場合には、制御部１は、再生後の音声信号をイヤースピーカ８Ａに出力するように、再生部４Ａを制御する。したがって、子機２０の動作モードが「自動応答ＯＮ」に設定されている場合には、ユーザは、子機２０をクレードル部４４から取外してイヤースピーカ８Ａを耳にあてることにより、再生された留守録の音声メッセージを聴くことができる。このような子機２０側の処理は、図８のステップＳ１１において実施される。
【００６１】
実施の形態１によれば、留守番電話機能を有した親機４０において音声データの再生部および音声出力部を備えない構成であっても、記憶部３７の留守番電話に関連する音声データを、子機２０の再生部４Ａおよびスピーカ部８を用いることで、外部に音声出力させることができる。
【００６２】
また、特定の子機２０で音声再生させることにより、ユーザが指定した特定の子機２０がどこにあるか探すことが容易になる。
【００６３】
[実施の形態２]
実施の形態２では、実施の形態１の変形例を説明する。実施の形態１では、留守番電話に関連する音声データは、ユーザ指定の特定の子機２０に送信されたが、当該特定の子機２０が、親機４０のＤＥＣＴ無線通信圏外、または電源ＯＦＦなどされている場合には、送信先をユーザが指定した２番目の特定の子機２０に変更して、留守番電話に関連する音声データを２番目の特定の子機２０に送信するようにしてもよい。
【００６４】
[実施の形態３]
実施の形態３では、実施の形態１および２の変形例を説明する。実施の形態１と２では、特定の子機２０は、ユーザが予め指定した子機であったが、これに限定されない。実施の形態３では、特定の子機２０は、親機４０の「ＤＥＣＴ通信可能エリア内に存在する子機２０」であって、親機４０クレードル部４４に装着されている子機２０である。したがって、留守番電話に関連する音声データは、親機４０のクレードル部４４に装着された子機２０によって再生されて出力される。
【００６５】
図１０は、本発明の実施の形態３に係る無線通信のための特定の子機を検出するための処理の一例を示すフローチャートである。図１０は、上記に述べた特定の子機としてクレードル部４４に装着された子機２０を検出する処理を示す。図１０のフローチャートは、親機４０と子機２０の処理を示し、子機２０側の処理は、制御部１のＣＰＵが実行するプログラムとして子機２０の記憶部５に予め格納される。また、親機４０側の処理は、ＣＰＵ３１が実行するプログラムとして記憶部３７に予めプログラムとして格納される。
【００６６】
図１０を参照して、上記に述べた特定の子機２０を検出する処理を説明する。まず、ユーザが子機２０をクレードル部４４に装着したか否かが検出される。具体的には、検出部１Ａは、ピン検出部１４からの出力に基づき、クレードル部４４のハードウェアピン４５が子機２０の筐体へ接触しているか否かを検出する（ステップＳ３）。ピン接触が検出されないときは（ステップＳ３でＮＯ）、すなわち子機２０がクレードル部４４に装着されていないと検出されるときは、ステップＳ３の処理が繰返される。
【００６７】
ピン接触が検出されると（ステップＳ３でＹＥＳ）、すなわち子機２０がクレードル部４４に装着されていると検出されると、制御部１は、記憶部５から子機２０の識別子ＩＤを読出し、ＤＥＣＴ無線部３を介して親機４０に送信する（ステップＳ５）。
【００６８】
また、子機２０の制御部１は、電源Ｉ／Ｆ６Ａの出力から子機２０が、クレードル部４４に充電可能な態様で装着されているか否かを判定する（ステップＳ７）。当該出力は、例えば電極端子４６と接触しているか否かを示す電位信号を含む。充電可能な態様で装着されていると判定されると（ステップＳ７でＮＯ）、ステップＳ７の処理が繰返されて、内蔵バッテリ部７の充電が実施される。
【００６９】
充電可能な態様で装着されていないと判定されると（ステップＳ７でＹＥＳ）、すなわち子機２０はクレードル部４４から取外されたと判定されると、処理はステップＳ３に戻り、クレードル部４４への子機２０の装着の有無が検出される。
【００７０】
このように、図１０に示す子機２０側の処理においては、クレードル部４４に子機２０が装着されたことが検出される毎に、当該子機２０の識別子ＩＤが親機４０に通知される。したがって、親機４０は、クレードル部４４に子機２０が装着される都度、当該子機２０の識別子ＩＤを取得することができる。
【００７１】
一方、親機４０側では、ＣＰＵ３１はＤＥＣＴ無線部３９の出力から、子機２０の識別子ＩＤを受信するか否かを判定する（ステップＳ８）。受信されないと判定されると（ステップＳ８でＮＯ）、ステップＳ８の処理が繰返される。
【００７２】
子機２０から識別子ＩＤが受信されたと判定されると（ステップＳ８でＹＥＳ）、ＣＰＵ３１は、受信した識別子ＩＤをＩＤデータ３７１として記憶部３７に格納する。
【００７３】
続いて、ＣＰＵ３１は充電Ｉ／Ｆ３２Ａのからの出力に基づき、子機２０が充電可能に搭載されているか否かを判定する（ステップＳ１２）。この出力は、電極端子４６の端子電位を含む。搭載されていると判定されると（ステップＳ１２でＮＯ）、ステップＳ１２の処理が繰返される。これにより、子機２０への充電が実施される。
【００７４】
搭載されていないと判定されると（ステップＳ１２でＹＥＳ）、ＣＰＵ３１は記憶部３７からＩＤデータ３７１を削除（クリア）する（ステップＳ１４）。その後、ステップＳ８に戻る。
【００７５】
図１０に示す親機４０の処理は、充電Ｉ／Ｆ３２Ａからの出力に基づき、クレードル部４４から子機２０が取外されたことが検出されたとき、記憶部３７から当該子機２０のＩＤデータ３７１を削除することにより、ＩＤデータ３７１を、クレードル部４４に現在装着されている子機２０の識別子ＩＤを示すように管理することができる。
【００７６】
[実施の形態４]
実施の形態４は、実施の形態１〜３の変形例を示す。実施の形態４では、特定の子機２０は、特定の子機２０は、親機４０の「ＤＥＣＴ通信可能エリア内に存在する子機２０」であって、親機４０が受信する電波強度により判定される。
【００７７】
具体的には、親機４０の判定部３１Ａは、ぺアリング処理により接続が検出された最大４台の子機２０それぞれから受信する電波の強度をアンテナ３９Ａの出力から測定し、測定した電波強度に基づき、ＤＥＣＴ通信可能エリア内に存在する特定の子機２０を判定する。判定された子機２０の識別子ＩＤはＩＤデータ３７１として記憶部３７に格納される。これにより、留守番電話に関連する音声データを、判定部３１Ａにより判定された特定の子機２０により再生させて出力させることができる。
【００７８】
また、特定の子機２０は、各子機２０のうち受信する電波の強度が最大である子機とするようにしてもよい。
【００７９】
なお、留守番電話に関連する音声データを再生し出力させるための特定の子機２０は、実施の形態１〜４のいずれか１つを用いて決定してもよく、または、組合わせて決定してもよい。例えば、実施の形態１においてユーザが予め指定した特定の子機２０が電源ＯＦＦ（電池切れ）またはＤＥＣＴ無線通信圏外であると判定されたときは、実施の形態３または４の方法で決定した特定の子機２０に切替えてもよい。
【００８０】
[実施の形態５]
実施の形態５では、子機２０の制御部１のＣＰＵに上記の各実施の形態に記載した制御を実行させるためのプログラムを提供することもでき、また、親機４０のＣＰＵ３１に上記の各実施の形態に記載した制御を実行させるためのプログラムを提供することもできる。このプログラムを子機２０の記憶部５および親機４０の記憶部３７にインストールすることで、既存の通信システムでも、各実施の形態に示した、特定の子機２０による留守番電話に関連する音声データの再生出力が実現される。そのため、該プログラムをインストールすることで、留守番電話機能を有した親機４０が音声再生および音声出力の機能を備えない場合でも、留守番電話に関連する音声データの再生出力を実現することができる。
【００８１】
プログラム製品は、プログラム自体と、プログラムが記録された記録媒体とを含む。すなわち、プログラムは、一例として固定電話回線を介してダウンロードによって親機４０にダウンロードされた後、子機２０にＤＥＣＴ無線通信または通信路２１により配信されてもよい。また、他の例として、インターネットなどのネットワークや着脱式のメモリなどによって、いったん、携帯電話機やモバイル端末などに配布され、そのような装置から子機２０に対して無線通信で配信されてもよい。
【００８２】
なお、本発明にかかるプログラムは、他のプログラムに組み込まれるプログラムの一部（モジュール）であって、当該他のプログラムの一部に組み込まれて提供されるものであってもよい。または、モジュールだけが提供されて、他のプログラムの一部に組み込まれて（またはそのモジュール部分が書き換えられて）用いられてもよい。このような他のプログラムに組み込まれた（組み込まれる）プログラムも、本発明にかかるプログラムに含まれ得る。
【００８３】
（開示内容）
実施の形態の開示内容を以下のように表すことができる。
【００８４】
（１）
固定電話の回線（電話回線５０）に接続される親機（親機４０）、および親機との間で無線通信可能な少なくとも１台の子機（子機２０）を備えた通信システムであって、親機は、留守番電話に関連する音声データを記憶するための記憶部（記憶部３７）と、留守番電話に関する操作を受付けるための操作部（留守キー３６）と、子機と通信するための通信部（ＤＥＣＴ無線部３９）と、を含み、通信部は、操作部により操作が受付けられたとき、記憶部の音声データを子機へ送信する。
【００８５】
子機は、音声データを再生する再生部（再生部４Ａ）と、再生部により再生された音声を出力する音声出力部（スピーカ部８）と、を含み、親機から送信された音声データを再生部により再生する。
【００８６】
（１）に係る通信システムでは、子機側において留守番電話に関連する音声データの再生および音声出力の機能を持たせることで、親機側でこれら機能を省略することができる。
【００８７】
（２）
留守番電話に関連する音声データには、発呼側から回線を介して受信した受信音声データ（留守録データ３７３）と、留守番電話に関連する案内のための案内音声データ（案内音声データ３７２）とを含む。
【００８８】
（２）に係る通信システムでは、留守番電話に関連する音声データとして、受信音声データと、留守番電話に関連する案内のための案内音声データとを含ませることができる。
【００８９】
（３）
通信部は、さらに、音声データを送信するとき、当該音声データの再生を指示するための再生指示を子機へ送信する。
【００９０】
（３）に係る通信システムでは、音声データとともに、子機に対して音声データの再生指示を送信することができる。
【００９１】
（４）
親機は、再生指示が子機に送信されると、その後、操作部による操作の受付を無効にする。
【００９２】
（４）に係る通信システムでは、親機の操作部を無効にすることで、親機に代わって子機側にユーザ操作受付を行なわせることができる。
【００９３】
（５）
親機は、子機を着脱自在に装着するための装着部を、さらに含む。
【００９４】
（５）に係る通信システムでは、子機を親機に装着させることができる。
（６）
通信部は、装着部に装着された子機に、音声データを送信する。
【００９５】
（６）に係る通信システムでは、親機に装着された子機に音声データの再生および音声出力を行なわせることができる。
【００９６】
（７）
子機は、さらに、当該子機が装着部に装着されているか否かを検出するための検出部を、含み、検出部により装着されていることが検出されたとき、無線通信のための当該子機の識別情報を親機に通知する。
【００９７】
（７）に係る通信システムでは、親機の装着された子機は、自己の識別情報を親機に通知することができるから、親機は、識別情報の問合せ処理をせずともよい。
【００９８】
（８）
親機は、さらに、子機から受信する電波の強度に基づき、無線通信可能エリア内に子機が存在するか否かを判定する判定部を含み、通信部は、音声データを、判定部により存在すると判定された子機へ送信する。
【００９９】
（８）に係る通信システムでは、親機の通信可能エリア内の子機のうち受信電波強度に基づき判定された子機に、音声データを送信し、再生および音声出力を行なわせることができる。
【０１００】
（９）
実施の形態に開示される通信方法は、固定電話の回線に接続される親機、および親機との間で無線通信可能な少なくとも１台の子機を備えた通信システムにおける通信方法であって、親機は、留守番電話に関連する音声データを記憶するための記憶部と、留守番電話に関する操作を受付けるための操作部と、子機と通信するための通信部と、を含み、上述の通信方法は、操作部により操作が受付けられたとき、通信部により記憶部の音声データを子機へ送信するステップを有する。
【０１０１】
また、子機は、音声データを再生する再生部と、再生部により再生された音声を出力する音声出力部と、を含み、上述の通信方法は、さらに、親機から送信された音声データを再生部により再生するステップを有する。
【０１０２】
（９）に係る通信方法では、親機側における留守番電話に関連する音声データの再生および音声出力のステップを、子機側で実施させることで、親機側において、これらステップの実施を省略することができる。
【０１０３】
（１０）
上記の（９）の通信方法を、コンピュータを用いて実行するためのプログラムが提供される。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０５】
１  制御部、１Ａ  検出部、４Ａ  再生部、８  スピーカ部、９  マイク、１４  ピン検出部、２０  子機、３１Ａ  判定部、３６  留守キー、４０  親機、４４  クレードル部、４５  ハードウェアピン、４６  電極端子、５０  電話回線、３７１  ＩＤデータ、３７２  案内音声データ、３７３  留守録データ。
【図１】
0006403497.tif 000002
【図２】
0006403497.tif 000003
【図３】
0006403497.tif 000004
【図４】
0006403497.tif 000005
【図５】
0006403497.tif 000006
【図６】
0006403497.tif 000007
【図７】
0006403497.tif 000008
【図８】
0006403497.tif 000009
【図９】
0006403497.tif 000010
【図１０】
0006403497.tif 000011